(57)【要約】【課題】画面位置の制約を受けずに異なる表示色での表示が自由にできるドットマトリックス型ディスプレイパネルを提供する。【解決手段】第１色と第１帯電極性とを有する第１の表示媒体と、第２色と第２帯電極性とを有する第２の表示媒体との２種類の表示媒体を組み合せ、対向電極対間に配置した第１の表示素子（１１−１）１個と、第１色と第１帯電極性とを有する第１の表示媒体と、第３色と第２帯電極性とを有する第３の表示媒体との２種類の表示媒体を組み合せ、対向電極対間に配置した第２の表示素子（１１−２）１個との２個の表示素子をもって１表示単位としてマトリックス配置し、各表示素子に配置した対向電極対に電圧を印加して各表示素子に封入された２種類の表示媒体を反転移動させて情報画像を表示する。【選択図】図６
2010139847.tif 000002
【特許請求の範囲】
【請求項１】
第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第３色と第２帯電極性とを有する第３の表示媒体との２種類の表示媒体を組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするドットマトリックス型ディスプレイパネル。
【請求項２】
第１の表示素子において、第１色を白色とし、第２色を黒色とし、第２の表示素子において、第１色を白色とし、第３色を白色および黒色以外の色としたことを特徴とする請求項１に記載のドットマトリックス型ディスプレイパネル。
【請求項３】
第１の表示素子において、第１色を黒色とし、第２色を白色とし、第２の表示素子において、第１色を黒色とし、第３色を白色および黒色以外の色としたことを特徴とする請求項１に記載のドットマトリックス型ディスプレイパネル。
【請求項４】
第１の表示素子において、第１色を黄色とし、第２色を黒色とし、第２の表示素子において、第１色を黄色とし、第３色を黄色および黒色以外の色としたことを特徴とする請求項１に記載のドットマトリックス型ディスプレイパネル。
【請求項５】
第１の表示素子において、第１色を黒色とし、第２色を黄色とし、第２の表示素子において、第１色を黒色とし、第３色を黄色および黒色以外の色としたことを特徴とする請求項１に記載のドットマトリックス型ディスプレイパネル。
【請求項６】
第１色と第１帯電極性とを有する第１の表示媒体と、第２色と第２帯電極性とを有する第２の表示媒体との２種類の表示媒体を組み合せ、対向電極対間に配置した第１の表示素子１個と、第３色と第１帯電極性とを有する第３の表示媒体と、第４色と第２帯電極性とを有する第４の表示媒体との２種類の表示媒体を組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするドットマトリックス型ディスプレイパネル。
【請求項７】
第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第２色と第２帯電極性とを有する第２の表示媒体との２種類の表示媒体および第３色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするドットマトリックス型ディスプレイパネル。
【請求項８】
第１の表示素子において、第１色を白色とし、第２色を黒色とし、第２の表示素子において、第１色を白色とし、第２色を黒色とし、第３色となるカラーフィルター色を前記以外の色としたことを特徴とする請求項７に記載のドットマトリックス型ディスプレイパネル。
【請求項９】
第１の表示素子において、第１色を白色とし、第２色を赤色とし、第２の表示素子において、第１色を白色とし、第２色を赤色とし、第３色となるカラーフィルター色を前記以外の色としたことを特徴とする請求項７に記載のドットマトリックス型ディスプレイパネル。
【請求項１０】
第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第３色と第２帯電極性とを有する第３の表示媒体との２種類の表示媒体および第４色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするドットマトリックス型ディスプレイパネル。
【請求項１１】
第１色と第１帯電極性とを有する第１の表示媒体と、第２色と第２帯電極性とを有する第２の表示媒体との２種類の表示媒体および第３色のカラーフィルターを組み合せ、対向電極対間に配置した第１の表示素子１個と、第１色と第１帯電極性とを有する第１の表示媒体と、第２色と第２帯電極性とを有する第２の表示媒体との２種類の表示媒体および第４色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするドットマトリックス型ディスプレイパネル。
【請求項１２】
隣接する第１の表示素子と第２の表示素子との２個を１表示単位としてマトリックス配置したときに、同じ種類の表示素子が１列に並ぶようにしたことを特徴とする請求項１〜１１のいずれか１項に記載のドットマトリックス型ディスプレイパネル。
【請求項１３】
隣接する第１の表示素子と第２の表示素子との２個を１表示単位としてマトリックス配置したときに、異なる種類の表示素子が交互に並ぶようにしたことを特徴とする請求項１〜１１のいずれか１項に記載のドットマトリックス型ディスプレイパネル。
【請求項１４】
表示素子に配置する対向電極対を、互いに対向して直交交差するライン電極で構成し、パッシブ駆動することを特徴とする請求項１〜１３のいずれか１項に記載のドットマトリックス型ディスプレイパネル。
【請求項１５】
表示素子に配置する対向電極対を、観察側の共通電極と背面側の薄膜トランジスタ（ＴＦＴ）付き画素用電極とを対向させて構成し、アクティブ駆動することを特徴とする請求項１〜１３のいずれか１項に記載のドットマトリックス型ディスプレイパネル。
【発明の詳細な説明】
【技術分野】
【０００１】
本発明は、光学的反射率および帯電性を有する粒子を含んだ粒子群として構成した２種類の表示媒体を封入した表示素子を、ディスプレイ画面にマトリックス配置し、各表示素子に配置した対向電極対から印加した電圧で形成した電界で、２種類の表示媒体を互いに反転移動させて情報を画像表示する方式のディスプレイパネルにおいて、ディスプレイ画面の自由な位置ごとに背景色に対して別色の表示ができるドットマトリックス型ディスプレイパネルに関するものである。
【背景技術】
【０００２】
従来、帯電性粒子を含んだ粒子群を表示媒体として駆動させる帯電粒子移動型ディスプレイパネルとして、パネル基板間を隔壁で仕切って構成し、その隔壁で囲まれた小部屋（セル）内に、少なくとも光学的反射率および帯電性を有する粒子を含んだ粒子群として構成した、少なくとも光学的反射率および帯電特性が互いに異なる、少なくとも２種類の表示媒体を封入し、基板に設けた対電極間に電界を形成して表示媒体を移動させて画像等の情報を表示するディスプレイパネルが知られている。
【０００３】
また、少なくとも光学的反射率および帯電性を有する粒子を含んだ粒子群として構成した、少なくとも光学的反射率および帯電特性が互いに異なる、少なくとも２種類の表示媒体として、色と帯電極性とが異なる２種類の表示媒体（粒子群）の組み合わせを１つのセル内に封入し、また、色と帯電極性とが異なる別の２種類の表示媒体（粒子群）の組み合わせを別の１つのセル内に封入し、互いに別の表示媒体（粒子群）の組み合せが封入されてなるセルは別々のセル群として集めて、表示画面を複数に分割した領域（エリア）ごとに配置してエリアカラー表示を行う方式のディスプレイパネルも知られている。
【０００４】
さらに、エリアカラー表示を行う場合の色組み合せとしては、白色粒子群と黒色粒子群とを封入したセル群で白黒表示（白背景色に黒表示するか、黒背景色に白表示する）するエリアと、白色粒子群と赤色粒子群とを封入したセル群で白赤表示（白背景色に赤表示するか、赤背景色に白表示する）するエリアとするものや、黄色粒子群と黒色粒子群とを封入したセル群で黄黒表示（黄背景色に黒表示するか、黒背景色に黄表示する）するエリアと、黄色粒子群と赤色粒子群とを封入したセル群で黄赤表示（黄背景色に赤表示するか、赤背景色に黄表示する）するエリアとするものが好ましく用いられている。
【０００５】
さらにまた、赤色粒子群と黒色粒子群とを封入した表示素子、緑色粒子群と黒色粒子群とを封入した表示素子、青色粒子群と黒色粒子群とを封入した表示素子との３表示素子で１表示単位を構成して、カラー表示するカラーディスプレイが知られている（例えば、特許文献１参照）。
【０００６】
【特許文献１】特開２００７−１７１６５０号公報
【発明の開示】
【発明が解決しようとする課題】
【０００７】
上述した種々のディスプレイパネルは、白地背景に黒色表示を行って白黒画像をコントラスト良く表示した画面に、あともう一色を用いて追加情報を、表示領域に制約されずに表示させたい、といったニーズに応えられるディスプレイパネルではなかった。
【０００８】
すなわち、色と帯電極性とが異なる２種類の表示媒体（粒子群）を組み合わせて構成した第１の表示素子とするセルと、色と帯電極性とが異なる別の２種類の表示媒体（粒子群）を組み合わせて構成した第２の表示素子とするセルとを、それぞれセル群として集めて、表示画面を複数に分割した領域（エリア）ごとに配置してエリアカラー表示を行う方式のディスプレイパネルでは、第１の色の表示媒体と第２の色の表示媒体とが組み合せられた表示素子が配置された領域では、第１の色と第２の色とで表示を行う領域を構成し、第３の色の表示媒体と第４の色の表示媒体とが組み合せられた表示素子が配置された領域では、第３の色と第４の色とで表示を行う領域を構成するため、ディスプレイ画面において別色表示ができる領域は予め決められていて、後から自由な位置に別色の表示をできなかった。
【０００９】
また、異なる色で表示できるエリアは、分割された各領域（エリア）に限定され、そのエリアは、セグメント画素に対応させるセグメント方式のディスプレイパネルではセグメント領域に限定され、アクティブドットマトリックス方式のディスプレイパネルやパッシブドットマトリックス方式のディスプレイパネルでは予め決めた領域（エリア）に限定されていた。さらにまた、特許文献１のカラーディスプレイでは、白色の表示色および黒色の表示色を得るときには三原色の合成色となるため、得られる白黒の表示画像はコントラストの点で不満が残るものであった。
【００１０】
本発明の目的は上述した問題点を解消して、画面位置の制約を受けずに異なる表示色での表示が自由にできるドットマトリックス型ディスプレイパネル、特には、コントラストの良い白黒画像に代表されるモノトーン表示においてあともう一色を加えた表示が画面の自由な位置で行えるドットマトリックス型ディスプレイパネルを提供しようとするものである。
【課題を解決するための手段】
【００１１】
本発明のドットマトリックス型ディスプレイパネルの第１発明は、第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第３色と第２帯電極性とを有する第３の表示媒体との２種類の表示媒体を組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするものである。
【００１２】
また、本発明のドットマトリックス型ディスプレイパネルの第１発明における好適例は、第１の表示素子において、第１色を白色とし、第２色を黒色とし、第２の表示素子において、第１色を白色とし、第３色を白色および黒色以外の色としたこと、第１の表示素子において、第１色を黒色とし、第２色を白色とし、第２の表示素子において、第１色を黒色とし、第３色を白色および黒色以外の色としたこと、第１の表示素子において、第１色を黄色とし、第２色を黒色とし、第２の表示素子において、第１色を黄色とし、第３色を黄色および黒色以外の色としたこと、第１の表示素子において、第１色を黒色とし、第２色を黄色とし、第２の表示素子において、第１色を黒色とし、第３色を黄色および黒色以外の色としたこと、がある。
【００１３】
本発明のドットマトリックス型ディスプレイパネルの第２発明は、第１色と第１帯電極性とを有する第１の表示媒体と、第２色と第２帯電極性とを有する第２の表示媒体との２種類の表示媒体を組み合せ、対向電極対間に配置した第１の表示素子１個と、第３色と第１帯電極性とを有する第３の表示媒体と、第４色と第２帯電極性とを有する第４の表示媒体との２種類の表示媒体を組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするものである。
【００１４】
本発明のドットマトリックス型ディスプレイパネルの第３発明は、第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第２色と第２帯電極性とを有する第２の表示媒体との２種類の表示媒体および第３色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするものである。
【００１５】
また、本発明のドットマトリックス型ディスプレイパネルの第３発明における好適例は、第１の表示素子において、第１色を白色とし、第２色を黒色とし、第２の表示素子において、第１色を白色とし、第２色を黒色とし、第３色となるカラーフィルター色を前記以外の色としたこと、第１の表示素子において、第１色を白色とし、第２色を赤色とし、第２の表示素子において、第１色を白色とし、第２色を赤色とし、第３色となるカラーフィルター色を前記以外の色としたこと、がある。
【００１６】
本発明のドットマトリックス型ディスプレイパネルの第４発明は、第１色と第１帯電極性とを有する第１の表示媒体と、第２色と第２帯電極性とを有する第２の表示媒体との２種類の表示媒体を組み合せ、対向電極対間に配置した第１の表示素子１個と、第１色と第１帯電極性とを有する第１の表示媒体と、第３色と第２帯電極性とを有する第３の表示媒体との２種類の表示媒体および第４色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするものである。
【００１７】
本発明のドットマトリックス型ディスプレイパネルの第５発明は、第１色と第１帯電極性とを有する第１の表示媒体と、第２色と第２帯電極性とを有する第２の表示媒体との２種類の表示媒体および第３色のカラーフィルターを組み合せ、対向電極対間に配置した第１の表示素子１個と、第１色と第１帯電極性とを有する第１の表示媒体と、第２色と第２帯電極性とを有する第２の表示媒体との２種類の表示媒体および第４色のカラーフィルターを組み合せ、対向電極対間に配置した第２の表示素子１個との２個の表示素子をもって１表示単位としてマトリックス配置し、各表示素子に配置した対向電極対に電圧を印加して各表示素子に封入された２種類の表示媒体を反転移動させて情報画像を表示することを特徴とするものである。
【００１８】
さらに、本発明のドットマトリックス型ディスプレイパネルの第１発明、第２発明、第３発明、第４発明および第５発明における好適例としては、隣接する第１の表示素子と第２の表示素子との２個を１表示単位としてマトリックス配置したときに、同じ種類の表示素子が１列に並ぶようにしたこと、隣接する第１の表示素子と第２の表示素子との２個を１表示単位としてマトリックス配置したときに、異なる種類の表示素子が交互に並ぶようにマトリックス配置したこと、表示素子に配置する対向電極対を、互いに対向して直交交差するライン電極で構成し、パッシブ駆動すること、表示素子に配置する対向電極対を、観察側の共通電極と背面側の薄膜トランジスタ（ＴＦＴ）付き画素用電極とを対向させて構成し、アクティブ駆動すること、がある。
【発明の効果】
【００１９】
本発明によれば、例えば、白色表示媒体と黒色表示媒体との２種類の表示媒体を組み合せた第１の表示素子と、白色表示媒体と赤色表示媒体との２種類の表示媒体を組み合せた第２の表示素子とを隣接して構成した１表示単位を、表示画面全領域において均等に配置して、駆動させたい表示素子を選択してその表示素子に配置した表示媒体を反転移動させるようにしたので、画面位置の制約を受けずに異なる表示色での表示が自由にできるようになった。
【００２０】
また、本発明によれば、第１の表示素子と、第２の表示素子とを、同じ２種類の表示媒体で構成し、一方の表示素子にはカラーフィルターを配置して、異なる表示色を発現できる２種類の表示素子を隣接して構成した１表示単位を、表示画面全領域において均等に配置したり、第１の表示素子と、第２の表示素子とを、1色を共通色とした３色の表示媒体で構成し、一方の表示素子には第４の色となるカラーフィルターを配置して、異なる表示色を発現できる２種類の表示素子を隣接して構成した１表示単位を、表示画面全領域において均等に配置したり、第１の表示素子と、第２の表示素子とを、２色を共通色とした２色の表示媒体で構成し、表示素子双方に第３の色となるカラーフィルターおよび第４の色となるカラーフィルターを配置して、駆動させたい表示素子を選択してその表示素子に配置した表示媒体を反転移動させるようにしたので、用いる表示媒体の種類を増やさずに、しかも、画面位置の制約を受けずに異なる表示色での表示が自由にできるようになった。さらに、１表示単位とする２個の表示素子の表示媒体色のうち、共通色となる第１色を白色とし、第２色を黒色としたり、共通色となる第１色を黒色とし、第２色を白色としたりすれば、コントラストの良い白黒画像に、第３色を加えた表示ができる。
【発明を実施するための最良の形態】
【００２１】
まず、本発明のドットマトリックス型ディスプレイパネルの対象となる情報表示用パネルの構成について説明する。本発明の対象となる情報表示用パネルでは、対向する２枚の基板間に封入した帯電極性が異なる２種類の表示媒体に電界が付与される。付与された電界方向に沿って、各表示媒体が電界による力やクーロン力などによって引き寄せられ、各表示媒体が電界方向の変化によって移動することにより、画像等の情報表示がなされる。従って、各表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２２】
本発明のドットマトリックス型ディスプレイパネルの対象となる情報表示用パネルを構成する表示素子の例を、図１（ａ）、（ｂ）〜図２（ａ）、（ｂ）に基づき説明する。
【００２３】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、基板１に設けた電極５（ＴＦＴ付き画素電極）と基板２に設けた電極６（共通電極）とが対向して形成する電極対間に配置して、この電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を行う。表示媒体を隔壁４で囲んで形成しセル内に封入しているが、隔壁は設けなくてもよい。なお、図１（ａ）、（ｂ）において、手前にある隔壁は省略している。
【００２４】
図２（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、基板２に設けたライン電極６と基板１に設けたライン電極５とが対向直交交差して形成する電極対間に配置して、この電極対に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を行う。なお、図２（ａ）、（ｂ）において、手前にある隔壁は省略している。
【００２５】
次に、本発明のドットマトリックス型ディスプレイパネルにおける表示素子の配置例を、図３（ａ）〜（ｄ）を参照して、説明する。
【００２６】
図３（ａ）〜（ｄ）はそれぞれ本発明のドットマトリックス型ディスプレイパネルにおける表示素子配置の一例を説明するための図である。図３（ａ）〜（ｄ）に示す例では、白色で負帯電性の白色表示媒体と黒色で正帯電性の黒色表示媒体とを組み合わせた第１の表示素子１個と、白色で負帯電性の白色表示媒体と赤色で正帯電性の赤色表示媒体とを組み合わせた第２の表示素子１個とをもって、１表示単位（各図中太い実線で囲んだ領域）としている。
【００２７】
図３（ａ）に示す例では、第１の表示素子と第２の表示素子との２個の表示素子で構成した１表示単位を縦１列には同じ種類の表示素子が並ぶようにマトリックス配置した例を示す。図３（ｂ）に示す例では、第１の表示素子と第２の表示素子との２個の表示素子で構成した１表示単位を縦２列には同じ種類の表示素子が並ぶようにマトリックス配置した例を示す。図３（ｃ）に示す例では、第１の表示素子と第２の表示素子との２個の表示素子で構成した１表示単位を、第１の表示素子と第２の表示素子とが交互になるように１表示単位をマトリックス配置した例を示す。図３（ｄ）に示す例では、第１の表示素子と第２の表示素子との２個の表示素子で構成した１表示単位を、縦に１列または２列に同じ種類の表示媒体が並ぶようにマトリックス配置した例を示す。
【００２８】
次に、本発明のドットマトリックス型ディスプレイパネルにおける表示例を、図４（ａ）、（ｂ）および図５（ａ）〜（ｄ）を参照して、説明する。
【００２９】
図４（ａ）、（ｂ）はそれぞれ本発明のドットマトリックス型ディスプレイにおける表示の一例を説明するための図である。図４（ａ）、（ｂ）に示す例では、白黒粒子群の第１の表示素子と白赤粒子群の第２の表示素子とで構成した表示画面を示している。そして、図４（ａ）に示す例では、全体背景色が赤で、黒色の文字情報「ＡＢＣＤ‥‥」が書かれた行間のスペースに、白色の文字情報「ＡＢＣＤ‥‥」が書かれた情報表示例を示す。また、図４（ｂ）に示す例では、全体背景色が白で、黒色の文字情報「ＡＢＣＤ‥‥」が書かれた行間のスペースに、赤色の文字情報「ＡＢＣＤ‥‥」が書かれた情報表示例を示す。
【００３０】
図５（ａ）〜（ｄ）はそれぞれ本発明のドットマトリックス型ディスプレイにおける表示の他の例を説明するための図である。図５（ａ）〜（ｄ）に示す例では、白黒粒子群の第１の表示素子と白赤粒子群の第２の表示素子とで構成した表示画面を示している。そして、図５（ａ）、（ｃ）に示す例では、全体背景色が白で、黒色の情報画像と赤色の情報画像とがランダムに書かれた情報表示例を示し、図５（ｂ）、（ｄ）に示す例では、全体背景色が白で、黒色の情報画像と赤色の情報画像とが画面の決められた領域に描かれた情報表示例を示している。
【００３１】
次に、本発明のドットマトリックス型ディスプレイパネルにおける表示素子構成の一例を、図６（ａ）、（ｂ）〜図１１（ａ）、（ｂ）を参照して、説明する。なお、図６（ａ）、（ｂ）〜図１１（ａ）、（ｂ）に示す例において、図１（ａ）、（ｂ）および図２（ａ）、（ｂ）に示す部材と同一の部材には同一の符号を付し、その説明を省略する。
【００３２】
図６（ａ）、（ｂ）はそれぞれ本発明のドットマトリックス型ディスプレイパネルにおける表示素子構成の一例を説明するための図である。図６（ａ）はドットマトリックス型ディスプレイパネルにおいて２個の表示素子で構成する１表示単位の一例を示し、図６（ｂ）は図６（ａ）に示す表示素子を配置した例を示す。図６（ａ）、（ｂ）に示す例では、負帯電性の白色粒子３Ｗａを含んだ粒子群として構成される白色表示媒体３Ｗと正帯電性黒色粒子３Ｂａを含んだ粒子群として構成される黒色表示媒体３Ｂとで構成した第１の表示素子１１−１と白色表示媒体３Ｗと正帯電性赤色粒子３Ｒａを含んだ粒子群として構成される赤色表示媒体３Ｒとで構成した第２の表示素子１１−２とで構成した１表示単位１３を、図６（ｂ）に示すように同じ種類の表示素子を縦１列に配置したマトリックス配置例を示している。
【００３３】
図７（ａ）、（ｂ）はそれぞれ本発明のドットマトリックス型ディスプレイパネルにおける表示素子構成の他の例を説明するための図である。図７（ａ）はドットマトリックス型ディスプレイにおいて２個の表示素子で構成する１表示単位の一例を示し、図７（ｂ）は図７（ａ）に示す表示素子を配置した例を示す。図７（ａ）、（ｂ）に示す例では、白色表示媒体３Ｗと黒色表示媒体３Ｂとで構成した第１の表示素子１１−１と、白色表示媒体３Ｗと黒色表示媒体３Ｂとで構成するとともに表示面側に赤色カラーフィルター１２Ｒを配置した第２の表示素子１１−２とで構成した１表示単位１３を、図７（ｂ）に示すように同じ種類の表示素子を縦一列に配置したマトリックス配置例を示している。
【００３４】
図８（ａ）、（ｂ）はそれぞれ本発明のドットマトリックス型ディスプレイパネルにおける表示素子構成のさらに他の例を説明するための図である。図８（ａ）はドットマトリックス型ディスプレイにおいて２個の表示素子で構成する１表示単位の一例を示し、図８（ｂ）は図８（ａ）に示す表示素子を配置した例を示す。図８（ａ）、（ｂ）に示す例では、負帯電性黄色粒子３Ｙａを含んだ粒子群として構成される黄色表示媒体３Ｙと正帯電性黒色粒子３Ｂａを含んだ粒子群として構成される黒色表示媒体３Ｂとで構成した第１の表示素子１１−１と、前記黄色表示媒体３Ｙと正帯電性赤色粒子３Ｒａを含んだ粒子群として構成される赤色表示媒体３Ｒとで構成した第２の表示素子１１−２とで構成した１表示単位１３を、図８（ｂ）に示すように同じ種類の表示素子を縦一列に配置したマトリックス配置例を示している。
【００３５】
図９（ａ）、（ｂ）はそれぞれ本発明のドットマトリックス型ディスプレイパネルにおける表示素子構成のさらに他の例を説明するための図である。図９（ａ）はドットマトリックス型ディスプレイにおいて２個の表示素子で構成する１表示単位の一例を示し、図９（ｂ）は図９（ａ）に示す表示素子を配置した例を示す。図９（ａ）、（ｂ）に示す例では、白色表示媒体３Ｗと黒色表示媒体３Ｂとで構成した第１の表示素子１１−１と、白色表示媒体３Ｗと黒色表示媒体３Ｂとで構成するとともに表示面側に黄色カラーフィルター１２Ｙを配置した第２の表示素子１１−２とで構成した１表示単位１３を、図９（ｂ）に示すように同じ種類の表示素子を縦一列に配置したマトリックス配置例を示している。
【００３６】
図１０（ａ）、（ｂ）はそれぞれ本発明のドットマトリックス型ディスプレイパネルにおける表示素子構成のさらに他の例を説明するための図である。図１０（ａ）はドットマトリックス型ディスプレイパネルにおいて２個の表示素子で構成する１表示単位の一例を示し、図１０（ｂ）は図１０（ａ）に示す表示素子を配置した例を示す。図１０（ａ）、（ｂ）に示す例では、負帯電性の白色粒子３Ｗａを含んだ粒子群として構成される白色表示媒体３Ｗと正帯電性黒色粒子３Ｂａを含んだ粒子群として構成される黒色表示媒体３Ｂとで構成した第１の表示素子１１−１と前記白色表示媒体３Ｗと正帯電性赤色粒子３Ｒａを含んだ粒子群として構成される赤色表示媒体３Ｒとで構成した第２の表示素子１１−２とで構成した１表示単位１３を、図１０（ｂ）の配列例１および配列例２に示すように、白黒表示媒体で構成した第１の表示素子１１−１と赤白表示媒体で構成した第２の表示素子１１−２とを縦１列に配置したマトリックス配置例を示している。
【００３７】
図１１（ａ）、（ｂ）はそれぞれ本発明のドットマトリックス型ディスプレイパネルにおける表示素子構成のさらに他の例を説明するための図である。図１１（ａ）はドットマトリックス型ディスプレイパネルにおいて２個の表示素子で構成する１表示単位の一例を示し、図１１（ｂ）は図１１（ａ）に示す表示素子を配置した例を示す。図１１（ａ）、（ｂ）に示す例では、負帯電性の白色粒子３Ｗａを含んだ粒子群として構成される白色表示媒体３Ｗと正帯電性黒色粒子３Ｂａを含んだ粒子群として構成される黒色表示媒体３Ｂとで構成した第１の表示素子１１−１と前記白色表示媒体３Ｗと正帯電性赤色粒子３Ｒａを含んだ粒子群として構成される赤色表示媒体３Ｒとで構成した第２の表示素子１１−２とで構成した１表示単位１３を、図１１（ｂ）に示すように、白黒表示媒体で構成した第１の表示素子１１−１と赤白表示媒体で構成した第２の表示素子１１−２とを千鳥配列したマトリックス配置例を示している。
【００３８】
次に、本発明のドットマトリックス型ディスプレイパネルにおける実施例を、図１２（ａ）、（ｂ）〜図２７（ａ）、（ｂ）を参照して、説明する。なお、図１２（ａ）、（ｂ）〜図２７（ａ）に示す例において、図１（ａ）、（ｂ）および図２（ａ）、（ｂ）に示す部材と同一の部材には同一の符号を付し、その説明を省略する。
【００３９】
これらの図面のうち、図１２（ａ）、（ｂ）〜図１５（ａ）、（ｂ）に示す例では、各表示素子に対向電極対を配置するように、背面側の基板１上に設けた、ライン状で幅が１表示素子の幅に対応する背面側の電極５を走査電極とし、表示面側の基板２上に設けた、ライン状で幅が１表示素子の幅に対応する背面側の電極５とほぼ直交して設けた表示面側の電極６をデータ電極としている。この走査電極とデータ電極とは逆にすることもできる。
【００４０】
また、白色負帯電性の粒子３Ｗａを含んだ粒子群として構成した白色表示媒体３Ｗと黒色正帯電性の粒子３Ｂａを含んだ粒子群として構成した黒色表示媒体３Ｂを組み合わせた第１の表示素子１１−１と、白色負帯電性の粒子３Ｗａを含んだ粒子群として構成した白色表示媒体３Ｗと黒色正帯電性の粒子３Ｂａを含んだ粒子群として構成した黒色表示媒体３Ｂとを組み合わせるとともに表示面側の基板２に赤色カラーフィルター１２Ｒを設けた第２の表示素子１１−２との双方の表示素子に、走査電極５およびデータ電極６とが配置されるように１表示単位（１ドット）１３を構成している。ここでは、説明を簡単にするために、１表示単位１３のみを示している。
【００４１】
図１２（ａ）、（ｂ）に示す例では、第１の表示素子１１−１および第２の表示素子１１−２において黒色表示媒体３Ｂを表示側に移動させた場合を示し、１表示単位１３から構成されるドットは黒色に見える。図１３（ａ）、（ｂ）に示す例では、第１の表示素子１１−１において黒色表示媒体３Ｂを表示側に移動させるとともに、第２の表示素子１１−２において白色表示媒体を表示側に移動させた場合を示し、１表示単位１３から構成されるドットは黒色に見える。図１４（ａ）、（ｂ）に示す例では、第１の表示素子１１−１および第２の表示素子１１−２において白色表示媒体３Ｗを表示側に移動させた場合を示し、１表示単位１３から構成されるドットは赤色に見える。図１５（ａ）、（ｂ）に示す例では、第１の表示素子１１−１において白色表示媒体３Ｗを表示側に移動させるとともに、第２の表示素子１１−２において黒色表示媒体３Ｂを表示側に移動させた場合を示し、１表示単位１３から構成されるドットは黒色に見える。
【００４２】
これらの図面のうち、図１６（ａ）、（ｂ）〜図１９（ａ）、（ｂ）に示す例では、各表示素子に対向電極対を配置するように、背面側の基板１上に設けた、ライン状で幅が１表示素子の幅に対応する背面側の電極５を走査電極とし、表示面側の基板２上に設けた、ライン状で幅が１表示素子の幅に対応する背面側の電極５とほぼ直交して設けた表示面側の電極６をデータ電極としている。この走査電極とデータ電極とは逆にすることもできる。
【００４３】
また、白色負帯電性の粒子３Ｗａを含んだ粒子群として構成した白色表示媒体３Ｗと黒色正帯電性の粒子３Ｂａを含んだ粒子群として構成した黒色表示媒体３Ｂを組み合わせた第１の表示素子１１−１と、白色負帯電性の粒子３Ｗａを含んだ粒子群として構成した白色表示媒体３Ｗと赤色正帯電性の粒子３Ｒａを含んだ粒子群として構成した赤色表示媒体３Ｒとを組み合わせるた第２の表示素子１１−２との双方の表示素子に、走査電極５およびデータ電極６とが配置されるように１表示単位（１ドット）１３を構成している。ここでは、説明を簡単にするために、１表示単位１３のみを示している。
【００４４】
図１６（ａ）、（ｂ）に示す例では、第１の表示素子１１−１において黒色表示媒体３Ｂを表示側に移動させるとともに、第２の表示素子１１−２において赤色表示媒体３Ｒを表示側に移動させた場合を示し、１表示単位１３から構成されるドットは黒色に見える。図１７（ａ）、（ｂ）に示す例では、第１の表示素子１１−１において黒色表示媒体３Ｂを表示側に移動させるとともに、第２の表示素子１１−２において白色表示媒体３Ｗを表示側に移動させた場合を示し、１表示単位１３から構成されるドットは黒色に見える。図１８（ａ）、（ｂ）に示す例では、第１の表示素子１１−１および第２の表示素子１１−２において白色表示媒体３Ｗを表示側に移動させた場合を示し、１表示単位１３から構成されるドットは白色に見える。図１９（ａ）、（ｂ）に示す例では、第１の表示素子１１−１において白色表示媒体３Ｗを表示側に移動させるとともに、第２の表示素子１１−２において赤色表示媒体３Ｒを表示側に移動させた場合を示し、１表示単位１３から構成されるドットは赤色に見える。
【００４５】
これらの図面のうち、図２０（ａ）、（ｂ）〜図２３（ａ）、（ｂ）に示す例では、各表示素子に対向電極対を配置するように、背面側の基板１上に設けた、ライン状で幅が１表示素子の幅に対応する背面側の電極５を走査電極とし、表示面側の基板２上に設けた、ライン状で幅が１表示素子の幅に対応する背面側の電極５とほぼ直交して設けた表示面側の電極６をデータ電極としている。この走査電極とデータ電極とは逆にすることもできる。
【００４６】
また、白色負帯電性の粒子３Ｗａを含んだ粒子群として構成した白色表示媒体３Ｗと黒色正帯電性の粒子３Ｂａを含んだ粒子群として構成した黒色表示媒体３Ｂを組み合わせた第１の表示素子１１−１と、黄色負帯電性の粒子３Ｙａを含んだ粒子群として構成した黄色表示媒体３Ｙと赤色正帯電性の粒子３Ｒａを含んだ粒子群として構成した赤色表示媒体３Ｒとを組み合わせるた第２の表示素子１１−２との双方の表示素子に、走査電極５およびデータ電極６とが配置されるように１表示単位（１ドット）１３を構成している。ここでは、説明を簡単にするために、１表示単位１３のみを示している。
【００４７】
図２０（ａ）、（ｂ）に示す例では、第１の表示素子１１−１において黒色表示媒体３Ｂを表示側に移動させるとともに、第２の表示素子１１−２において赤色表示媒体３Ｒを表示側に移動させた場合を示し、１表示単位１３から構成されるドットは黒色に見える。図２１（ａ）、（ｂ）に示す例では、第１の表示素子１１−１において黒色表示媒体３Ｂを表示側に移動させるとともに、第２の表示素子１１−２において黄色表示媒体３Ｙを表示側に移動させた場合を示し、１表示単位１３から構成されるドットは黒色に見える。図２２（ａ）、（ｂ）に示す例では、第１の表示素子１１−１において白色表示媒体３Ｗを表示側に移動させるとともに、第２の表示素子１１−２において黄色表示媒体３Ｙを表示側に移動させた場合を示し、１表示単位１３から構成されるドットは黄色に見える。図２３（ａ）、（ｂ）に示す例では、第１の表示素子１１−１において白色表示媒体３Ｗを表示側に移動させるとともに、第２の表示素子１１−２において赤色表示媒体３Ｒを表示側に移動させた場合を示し、１表示単位１３から構成されるドットは赤色に見える。
【００４８】
これらの図面のうち、図２４（ａ）、（ｂ）〜図２７（ａ）、（ｂ）に示す例では、各表示素子に対向電極対を配置するように、背面側の基板１上に設けた、ライン状で幅が１表示素子の幅に対応する背面側の電極５を走査電極とし、表示面側の基板２上に設けた、ライン状で幅が１表示素子の幅に対応する背面側の電極５とほぼ直交して設けた表示面側の電極６をデータ電極としている。この走査電極とデータ電極とは逆にすることもできる。
【００４９】
また、白色負帯電性の粒子３Ｗａを含んだ粒子群として構成した白色表示媒体３Ｗと黒色正帯電性の粒子３Ｂａを含んだ粒子群として構成した黒色表示媒体３Ｂを組み合わせるとともに表示面側の基板２に赤色カラーフィルター１２Ｒを設けた第１の表示素子１１−１と、前記白色表示媒体３Ｗと前記黒色表示媒体３Ｂとを組み合わせるとともに表示面側の基板２に青色カラーフィルター１２ＢＬを設けた第２の表示素子１１−２との双方の表示素子に、走査電極５およびデータ電極６とが配置されるように１表示単位（１ドット）１３を構成している。ここでは、説明を簡単にするために、１表示単位１３のみを示している。
【００５０】
図２４（ａ）、（ｂ）に示す例では、第１の表示素子１１−１および第２の表示素子１１−２において黒色表示媒体３Ｂを表示側に移動させた場合を示し、１表示単位１３から構成されるドットは黒色に見える。図２５（ａ）、（ｂ）に示す例では、第１の表示素子１１−１において黒色表示媒体３Ｂを表示側に移動させるとともに、第２の表示素子１１−２において白色表示媒体を表示側に移動させた場合を示し、１表示単位１３から構成されるドットは黒色に見える。図２６（ａ）、（ｂ）に示す例では、第１の表示素子１１−１および第２の表示素子１１−２において白色表示媒体３Ｗを表示側に移動させた場合を示し、１表示単位１３から構成されるドットは紫色に見える。図２７（ａ）、（ｂ）に示す例では、第１の表示素子１１−１において白色表示媒体３Ｗを表示側に移動させるとともに、第２の表示素子１１−２において黒色表示媒体３Ｂを表示側に移動させた場合を示し、１表示単位１３から構成されるドットは黒色に見える。
【００５１】
次に、上述した本発明のドットマトリックス型ディスプレイパネルのパネル構成についての好適例について説明する。
【００５２】
まず、各表示素子を構成する対向電極対の周囲は隔壁で囲んでセルを形成し、このセル内に表示媒体を配置した構成の表示素子とする。このときセル形状は四角形が好ましく、特には、角丸付きの四角形が好ましい。セルの配置は、格子状（行列マトリックス）とすることで各表示素子をマトリックス配置する。
【００５３】
基板間ギャップ確保用として設ける隔壁部分や、セル形成専用の隔壁部分の形成材料としては、ドライフィルムレジスト材が好適に用いられる。一例として、アルフォＮＩＴ２（ニチゴーモートン社製）やＰＤＦ３００（新日鐵化学社製）を使用することができる。形成したい隔壁部分の高さに合せた厚みのドライフィルムレジスト材をパネル基板に積層し、所定形状のフォトマスクを用いてフォトリソ法によってパターニングする。
【００５４】
パネル基板間ギャップ確保用の隔壁部分の幅は、２０μｍ〜１００μｍの範囲とし、セル形成専用の隔壁部分の幅は、５μｍ〜３０μｍの範囲とし、セル形成専用の隔壁部分の幅を、パネル基板間ギャップ確保用の隔壁部分の幅よりも小さくする。
【００５５】
各表示素子に対向して配置する電極対の材料として、透明基板側（表示側）に設ける透明電極（または透明導電膜）には、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００５６】
各表示素子に対向して配置する電極対の材料として、背面側基板に設ける電極には、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられる。背面側基板に設ける電極は透明であってもよいし、透明でなくても良い。背面側基板の電極をＴＦＴ付き電極とすることもできる。
【００５７】
電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側電極厚みは、導電性が確保でき光透過性に支障がなければ良く、０．０１〜１０μｍが好ましく、０．０５〜５μｍがより好ましい。また、背面側電極厚みは、導電性が確保できれば良く、０．０１〜１０μｍが好ましく、０．０５〜５μｍがより好ましい。
【００５８】
表示面側電極として好適な透明導電性材料は、金属材料に比べて可とう性が小さい。表示面側電極をライン状電極とする場合には、透明電極材中での断線防止のため、金属細線と併用することが好ましい。この金属細線の幅は、１μｍ〜１０μｍとすれば表示視認性の妨げとならないので好ましい。背面側電極は光透過性を考慮する必要がないので電気抵抗が小さく、可とう性にも優れた前記金属材料が好適に用いられる。また、背面側電極厚みは電気抵抗および生産性、コストの観点から、０．０１〜１０μｍに設計される。
【００５９】
パネル基板間ギャップ確保用隔壁の形状や配置およびセル形成専用隔壁の形状や配置は画素形状および画素配置に合わせる。配置は格子状とし、セルの横断面形状は、四角形、三角形、六角形等の多角形や、円形、楕円形、レーストラック形等いずれでも良いし、複数の形状を組み合わせても良い。表示部の開口率を大きくできる点からは四角形や六角形等の多角形が好ましく、表示媒体を構成する粒子を移動しやすくできる点からは曲線を有する形状が好ましい。前記二つの点から角丸付きの四角形や角丸付きの六角形等の角丸付きの多角形が好ましい。
【００６０】
マトリックス配置された表示素子を、パッシブ駆動するか、アクティブ駆動するかして、情報表示の書換えを行う。
【産業上の利用可能性】
【００６１】
本発明のドットマトリックス型ディスプレイパネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部を構成するカラー情報表示用パネルとして好適に用いられる他、外部表示書き換え用駆動装置に接続して表示書き換えを行うディスプレイパネル（リライタブルペーパーと呼ばれるもの）にも好適に用いられる。
【図面の簡単な説明】
【００６２】
【図１】（ａ）、（ｂ）はそれぞれ本発明のドットマトリックス型ディスプレイパネルにマトリックス配置する１個の表示素子の一例を示す図である。
【図２】（ａ）、（ｂ）はそれぞれ本発明のドットマトリックス型ディスプレイパネルにマトリックス配置する１個の表示素子の他の例を示す図である。
【図３】（ａ）〜（ｄ）はそれぞれ本発明のドットマトリックス型ディスプレイパネルにおける表示素子配置の一例を説明するための図である。
【図４】（ａ）、（ｂ）はそれぞれ本発明のドットマトリックス型ディスプレイパネルにおける画面表示の一例を説明するための図である。
【図５】（ａ）〜（ｄ）はそれぞれ本発明のドットマトリックス型ディスプレイパネルにおける画面表示の他の例を説明するための図である。
【図６】（ａ）、（ｂ）はそれぞれ本発明のドットマトリックス型ディスプレイパネルにおける１表示単位構成の一例を説明するための図である。
【図７】（ａ）、（ｂ）はそれぞれ本発明のドットマトリックス型ディスプレイパネルにおける１表示単位構成の他の例を説明するための図である。
【図８】（ａ）、（ｂ）はそれぞれ本発明のドットマトリックス型ディスプレイパネルにおける１表示単位構成のさらに他の例を説明するための図である。
【図９】（ａ）、（ｂ）はそれぞれ本発明のドットマトリックス型ディスプレイパネルにおける１表示単位構成のさらに他の例を説明するための図である。
【図１０】（ａ）、（ｂ）はそれぞれ本発明のドットマトリックス型ディスプレイパネルにおける１表示単位構成のさらに他の例を説明するための図である。
【図１１】（ａ）、（ｂ）はそれぞれ本発明のドットマトリックス型ディスプレイパネルにおける１表示単位構成のさらに他の例を説明するための図である。
【図１２】（ａ）、（ｂ）はそれぞれ本発明のドットマトリックス型ディスプレイパネルにおける一実施例を説明するための図である。
【図１３】（ａ）、（ｂ）はそれぞれ本発明のドットマトリックス型ディスプレイパネルにおける他の実施例を説明するための図である。
【図１４】（ａ）、（ｂ）はそれぞれ本発明のドットマトリックス型ディスプレイパネルにおけるさらに他の実施例を説明するための図である。
【図１５】（ａ）、（ｂ）はそれぞれ本発明のドットマトリックス型ディスプレイパネルにおけるさらに他の実施例を説明するための図である。
【図１６】（ａ）、（ｂ）はそれぞれ本発明のドットマトリックス型ディスプレイパネルにおけるさらに他の実施例を説明するための図である。
【図１７】（ａ）、（ｂ）はそれぞれ本発明のドットマトリックス型ディスプレイパネルにおけるさらに他の実施例を説明するための図である。
【図１８】（ａ）、（ｂ）はそれぞれ本発明のドットマトリックス型ディスプレイパネルにおけるさらに他の実施例を説明するための図である。
【図１９】（ａ）、（ｂ）はそれぞれ本発明のドットマトリックス型ディスプレイパネルにおけるさらに他の実施例を説明するための図である。
【図２０】（ａ）、（ｂ）はそれぞれ本発明のドットマトリックス型ディスプレイパネルにおけるさらに他の実施例を説明するための図である。
【図２１】（ａ）、（ｂ）はそれぞれ本発明のドットマトリックス型ディスプレイパネルにおけるさらに他の実施例を説明するための図である。
【図２２】（ａ）、（ｂ）はそれぞれ本発明のドットマトリックス型ディスプレイパネルにおけるさらに他の実施例を説明するための図である。
【図２３】（ａ）、（ｂ）はそれぞれ本発明のドットマトリックス型ディスプレイパネルにおけるさらに他の実施例を説明するための図である。
【図２４】（ａ）、（ｂ）はそれぞれ本発明のドットマトリックス型ディスプレイパネルにおけるさらに他の実施例を説明するための図である。
【図２５】（ａ）、（ｂ）はそれぞれ本発明のドットマトリックス型ディスプレイパネルにおけるさらに他の実施例を説明するための図である。
【図２６】（ａ）、（ｂ）はそれぞれ本発明のドットマトリックス型ディスプレイパネルにおけるさらに他の実施例を説明するための図である。
【図２７】（ａ）、（ｂ）はそれぞれ本発明のドットマトリックス型ディスプレイパネルにおけるさらに他の実施例を説明するための図である。
【符号の説明】
【００６３】
１、２  基板
３Ｗ    白色表示媒体
３Ｗａ  負帯電性白色粒子
３Ｂ    黒色表示媒体
３Ｂａ  正帯電性黒色粒子
３Ｒ    赤色表示媒体
３Ｒａ  正帯電性赤色粒子
３Ｙ    黄色表示媒体
３Ｙａ  負帯電性黄色粒子
４      隔壁
５、６  電極
１１−１  第１の表示素子
１１−２  第２の表示素子
１２Ｒ  赤色カラーフィルター
１２Ｙ  黄色カラーフィルター
１２ＢＬ  青色カラーフィルター
１３    １表示単位
【図１】
2010139847.tif 000003
【図２】
2010139847.tif 000004
【図３】
2010139847.tif 000005
【図４】
2010139847.tif 000006
【図５】
2010139847.tif 000007
【図６】
2010139847.tif 000008
【図７】
2010139847.tif 000009
【図８】
2010139847.tif 000010
【図９】
2010139847.tif 000011
【図１０】
2010139847.tif 000012
【図１１】
2010139847.tif 000013
【図１２】
2010139847.tif 000014
【図１３】
2010139847.tif 000015
【図１４】
2010139847.tif 000016
【図１５】
2010139847.tif 000017
【図１６】
2010139847.tif 000018
【図１７】
2010139847.tif 000019
【図１８】
2010139847.tif 000020
【図１９】
2010139847.tif 000021
【図２０】
2010139847.tif 000022
【図２１】
2010139847.tif 000023
【図２２】
2010139847.tif 000024
【図２３】
2010139847.tif 000025
【図２４】
2010139847.tif 000026
【図２５】
2010139847.tif 000027
【図２６】
2010139847.tif 000028
【図２７】
2010139847.tif 000029